(57)【特許請求の範囲】
【請求項１】
外部のメインシステムと超高速シリアルインタフェース方式でメイン信号を送受信し、前記メイン信号に応答してメイン画像を表示するメイン表示ユニットと、
前記メイン表示ユニットと電気的に接続されて前記メイン表示ユニットとサブ信号を送受信し、前記サブ信号に応答してサブ画像を表示するサブ表示ユニットと、
を含み、
前記メイン表示ユニット用及び前記サブ表示ユニット用の表示情報は、前記メイン信号に含まれ、
前記サブ表示ユニットは、前記メイン表示ユニットとシリアル周辺インタフェース方式で前記サブ信号を送受信するように設計されており、
前記メイン表示ユニットは、前記メイン信号に応答してメイン画像出力信号を出力し、前記サブ表示ユニットと前記サブ信号を送受信するメインコントローラと、前記メイン画像出力信号に応答して前記メイン画像を表示するメイン画像表示部と、を含み、
前記メインコントローラは、前記メインシステムと前記メイン信号を送受信し、前記メイン信号に応答してメイン画像制御信号、メイン画像データ及びサブ画像信号を出力するメインインタフェース部と、前記メインインタフェース部から前記メイン画像データの印加を受けて保存するメイン画像メモリと、前記メイン画像制御信号及び前記メイン画像メモリに保存された前記メイン画像データに応答し、前記メイン画像出力信号を出力するメイン画像駆動部と、前記サブ画像信号に応答して前記サブ表示ユニットと前記サブ信号を送受信する接続インタフェース部と、前記メインインタフェース部からサブ制御信号の印加を受け、前記サブ制御信号に応答して前記メインインタフェース部から前記接続インタフェース部への前記サブ画像信号の出力を制御するサブ信号制御部と、前記メインインタフェース部から前記サブ画像信号の印加を受けて保存し、前記サブ信号制御部によって制御されて、保存された前記サブ画像信号を前記接続インタフェース部に出力するサブ信号メモリとを含み、
前記サブ信号制御部は、前記メインインタフェース部が前記メインシステムからタイムアウト期間中に前記メイン信号を受信しなかった場合、前記メインインタフェース部から前記接続インタフェース部へ前記サブ画像信号の出力するよう制御されることを特徴とするデュアル表示装置。
【請求項２】
前記サブ信号制御部は、前記タイムアウト時間の情報を保存するタイムアウトメモリを含むことを特徴とする請求項１に記載のデュアル表示装置。
【請求項３】
前記タイムアウト時間の情報は、前記サブ制御信号に応じて変更されて前記タイムアウトメモリに保存されることを特徴とする請求項２に記載のデュアル表示装置。
【発明の詳細な説明】
【技術分野】
【０００１】
本発明は、画像を表示する表示装置及びこれを有する携帯電話に係り、より詳細には、メイン画像及びサブ画像を実現しうるデュアル表示方法、これを行うためのデュアル表示装置及びこれを有するデュアル表示携帯電話に関する。
【背景技術】
【０００２】
一般的に、デュアル表示携帯電話は、開いたときにメイン画像を表示し、閉じたときにサブ画像を表示する折り畳み式携帯電話を示す。
【０００３】
デュアル表示携帯電話は、内部に中央処理ユニット（ＣＰＵ）を具備するメイン本体及びメイン本体と電気的に接続されたデュアル表示装置を含み、このようなデュアル表示装置は、メイン画像を表示するメイン表示ユニット及びサブ画像を表示するサブ表示ユニットを含む。
【０００４】
メイン本体は、デュアル表示装置と信号を送受信することで、デュアル表示装置を制御する。一般的に、メイン本体は、メイン表示ユニット及びサブ表示ユニットとそれぞれ信号を送受信することによって、メイン表示ユニット及びサブ表示ユニットをそれぞれ制御する。
【０００５】
一方、近距離を超高速で通信しうる超高速シリアルインタフェース（Ｈｉｇｈ−Ｓｐｅｅｄ  Ｓｅｒｉａｌ  ｉｎｔｅｒｆａｃｅ：ＨＳＳＩ）方式が、デュアル表示携帯電話に適用されてもよい。
【０００６】
しかし、デュアル表示携帯電話が超高速シリアルインタフェース方式を適用するためには、デュアル表示携帯電話は超高速通信が可能な配線及び駆動回路を具備しなければならない。デュアル表示携帯電話がそのような配線及び駆動回路を具備する場合、製造コストが増加するという問題点が発生するおそれがある。
【発明の開示】
【発明が解決しようとする課題】
【０００７】
したがって、本発明で解決しようとする技術的な課題は、このような従来の問題点を解決するためのものであって、本発明の目的は、超高速通信を行い、且つ製造コストを節減しうるデュアル表示方法を提供することにある。
【０００８】
本発明の他の目的は、デュアル表示方法を行うために適合するデュアル表示装置を提供することにある。
【０００９】
本発明の更に他の目的は、デュアル表示装置を具備するデュアル表示携帯電話を提供することにある。
【課題を解決するための手段】
【００１０】
本発明の一実施形態によるデュアル表示方法は、まず超高速シリアルインタフェース（Ｈｉｇｈ−Ｓｐｅｅｄ  Ｓｅｒｉａｌ  Ｉｎｔｅｒｆａｃｅ：ＨＳＳＩ）方式でメイン信号をメイン表示ユニットに伝送する。その後、メイン信号に応答してサブ信号をメイン表示ユニットからサブ表示ユニットに伝送する。
【００１１】
サブ信号は、シリアル周辺インタフェース（Ｓｅｒｉａｌ  Ｐｅｒｉｐｈｅｒａｌ  Ｉｎｔｅｒｆａｃｅ：ＳＰＩ）方式でメイン表示ユニットからサブ表示ユニットに伝送されてもよい。
【００１２】
メイン表示ユニットがメイン画像を表示するとき、サブ表示ユニットはサブ画像を表示せず、サブ表示ユニットがサブ画像を表示するとき、メイン表示ユニットは、メイン画像を表示しない。
【００１３】
本発明の一実施形態によるデュアル表示装置は、メイン表示ユニット及びサブ表示ユニットを含む。メイン表示ユニットは、外部のシステムと超高速シリアルインタフェース方式でメイン信号を送受信し、メイン信号に応答してメイン画像を表示する。サブ表示ユニットは、メイン表示ユニットと電気的に接続されてサブ信号を送受信し、サブ信号に応答してサブ画像を表示する。
【００１４】
サブ表示ユニットは、メイン表示ユニットとシリアル周辺インタフェース方式でサブ信号を送受信してもよい。
【００１５】
メイン表示ユニットは、メイン信号に応答してメイン画像出力信号を出力し、サブ表示ユニットとサブ信号を送受信するメインコントローラと、メイン画像出力信号に応答してメイン画像を表示するメイン画像表示部と、を含んでもよい。
【００１６】
メインコントローラは、メインインタフェース部、メイン画像メモリ、メイン画像駆動部、及び接続インタフェース部を含んでもよい。メインインタフェース部は、メインシステムとメイン信号を送受信し、メイン信号に応答してメイン画像制御信号、メイン画像データ及びサブ画像信号を出力する。メイン画像メモリは、メイン信号インタフェース部からメイン画像データの印加を受けて保存する。メイン画像駆動部は、メイン画像制御信号及びメイン画像メモリに保存されたメイン画像データに応答してメイン画像出力信号を出力する。接続インタフェース部は、サブ画像信号に応答し、サブ表示ユニットとサブ信号を送受信する。
【００１７】
メインコントローラは、メインインタフェース部からサブ制御信号の印加を受け、サブ制御信号に応答してメインインタフェース部から接続インタフェース部へのサブ画像信号の出力を制御するサブ信号制御部を更に含んでもよい。
【００１８】
メイン画像メモリは、メインインタフェース部からサブ画像信号の印加を受けて保存し、サブ信号制御部によって制御され、保存されたサブ画像信号を接続インタフェース部に出力してもよい。ここで、メイン画像メモリは、メイン画像データを保存するメイン画像保存領域と、サブ画像信号を保存するサブ画像保存領域と、を含んでもよい。
【００１９】
メインコントローラは、メイン画像メモリとは別途で、メインインタフェース部からサブ画像信号の印加を受けて保存し、サブ信号制御部によって制御され、保存されたサブ画像信号を接続インタフェース部に出力するサブ信号メモリを更に含んでもよい。ここで、サブ信号メモリは、先に保存されたデータが先に読み出されるＦＩＦＯ（Ｆｉｒｓｔ  Ｉｎ  Ｆｉｒｓｔ  Ｏｕｔ）メモリであってもよい。
【００２０】
サブ信号制御部は、メインインタフェース部がメインシステムからタイムアウト期間にメイン信号を受信しなかった場合、メインインタフェース部から接続インタフェース部へのサブ画像信号の出力を制御してもよい。
【００２１】
サブ信号制御部は、タイムアウト期間の情報を保存するタイムアウトメモリを含んでもよい。ここで、前記タイムアウト時間の情報は、前記サブ制御信号に応じて変更されて前記タイムアウトメモリに保存されてもよい。
【００２２】
サブ画像信号は、サブ表示ユニットを制御するための命令語コードと、サブ画像に対する情報を含むサブデータと、を含んでもよい。サブ画像信号は、サブデータの終わりを知らせる終結コードを更に含んでもよい。または、メインコントローラは、サブデータをカウントして、サブデータの個数をメインコントローラ内のメモリに保存してもよい。
【００２３】
本発明の一実施形態によるデュアル表示携帯電話は、メイン本体及びデュアル表示装置を含む。
【００２４】
メイン本体は、内部に中央処理ユニット（ＣＰＵ）を具備する。デュアル表示装置は、メイン表示ユニット及びサブ表示ユニットを含む。メイン表示ユニットは、メイン本体と電気的に接続され、超高速シリアルインタフェース（ＨＳＳＩ）方式でメイン信号を送受信し、メイン信号に応答してメイン画像を表示する。サブ表示ユニットは、メイン表示ユニットと電気的に接続されてサブ信号を送受信し、サブ信号に応答してサブ画像を表示する。
【００２５】
サブ表示ユニットは、メイン表示ユニットとシリアル周辺インタフェース（ＳＰＩ）方式でサブ信号を送受信してもよい。
【発明の効果】
【００２６】
本発明によると、メイン表示ユニットがメイン本体と超高速シリアルインタフェース（ＨＳＳＩ）方式で通信し、且つメイン本体とサブ表示ユニットとを接続させるハブ機能を更に果たすことによって、デュアル表示携帯電話は、デュアル表示装置とメイン本体との間で高速通信を行うことが可能となり、且つ低い製造コスト実現することができる。
【発明を実施するための最良の形態】
【００２７】
以下、図面を参照して本発明の望ましい実施形態をより詳細に説明する。
【００２８】
図１は、本発明の一実施形態によるデュアル表示携帯電話を示すブロック図である。図１を参照すると、本実施形態によるデュアル表示携帯電話は、メイン本体（ＭＰ）及びメイン本体（ＭＰ）と信号を送受信して画像を表示するデュアル表示装置（ＤＰ）を含む。本実施形態で、デュアル表示装置（ＤＰ）は、メイン本体（ＭＰ）と超高速シリアルインタフェース（Ｈｉｇｈ−Ｓｐｅｅｄ  Ｓｅｒｉａｌ  Ｉｎｔｅｒｆａｃｅ：ＨＳＳＩ）方式でメイン信号１０を互いに送受信し、メイン信号１０に応答して画像を表示する。
【００２９】
デュアル表示装置（ＤＰ）は、メイン本体（ＭＰ）と折り畳み式で連結されてもよい。即ち、デュアル表示携帯電話は、折り畳み式携帯電話であってもよい。
【００３０】
メイン本体（ＭＰ）は、外部の通信基地局と無線で信号を送受信する。即ち、メイン本体（ＭＰ）は、通信基地局から外部電波を受信し、内部電波を通信基地局に送信することができる。
【００３１】
メイン本体（ＭＰ）は、外部電波に含まれた外部情報を処理し、内部電波に含まれる内部情報を処理する中央処理ユニット（ＣＰＵ）を含む。メイン本体（ＭＰ）は、外部情報及び内部情報に応答し、デュアル表示装置（ＤＰ）と超高速シリアルインタフェース（ＨＳＳＩ）方式でメイン信号１０を送受信する。
【００３２】
デュアル表示装置（ＤＰ）は、メイン画像を表示するメイン表示ユニット（ＭＤＰ）及びサブ画像を表示するサブ表示ユニット（ＳＤＰ）を含む。例えば、メイン表示ユニット（ＭＤＰ）及びサブ表示ユニット（ＳＤＰ）は、液晶表示装置であってもよい。
【００３３】
メイン画像は、外部の他の携帯電話と通信を行うときに必要なメイン情報を含んでもよく、サブ画像は、時間、日付などのようなサブ情報を含んでもよい。それによって、サブ表示ユニット（ＳＤＰ）は、メイン表示ユニット（ＭＤＰ）に比べて低い解像度を有してもよい。
【００３４】
メイン表示ユニット（ＭＤＰ）は、メイン本体（ＭＰ）と電気的に接続され、超高速シリアルインタフェース（ＨＳＳＩ）方式でメイン信号１０を送受信し、メイン信号１０に応答してメイン画像を表示する。
【００３５】
ここで、超高速シリアルインタフェース（ＨＳＳＩ）方式は、近距離を超高速で通信しうる通信方法を示す。例えば、超高速シリアルインタフェース方式は、約５２Ｍｂｐｓの最大伝送速度を有し、約５０個のコネクタポイントを通じて信号を送受信し、差動エミッタ結合論理回路（ｄｉｆｆｅｒｅｎｔｉａｌ  ｅｍｉｔｔｅｒ−ｃｏｕｐｌｅｄ  ｌｏｇｉｃ）を用いて通信を行ってもよい。
【００３６】
サブ表示ユニット（ＳＤＰ）は、メイン表示ユニット（ＭＤＰ）と電気的に接続されてサブ信号２０を送受信し、サブ信号２０に応答してサブ画像を表示する。即ち、メイン信号１０は、メイン画像及びサブ画像に対する情報を含んでいる。
【００３７】
サブ表示ユニット（ＳＤＰ）は、メイン表示ユニット（ＭＰＤ）とシリアル周辺インタフェース（Ｓｅｒｉａｌ  Ｐｅｒｉｐｈｅｒａｌ  Ｉｎｔｅｒｆａｃｅ：ＳＰＩ）方式でサブ信号２０を送受信してもよい。
【００３８】
ここで、シリアル周辺インタフェース（ＳＰＩ）方式は、３本の配線を用いて信号を送受信しうるもっとも基本的な通信方式を示す。即ち、一番目の配線は、メイン表示ユニット（ＭＤＰ）からサブ表示ユニット（ＳＤＰ）に信号を伝送するときに用いられるは配線であり、二番目の配線は、サブ表示ユニット（ＳＤＰ）からメイン表示ユニット（ＭＤＰ）に信号を伝送するときに用いられる配線であり、三番目の配線は、メイン表示ユニット（ＭＤＰ）からサブ表示ユニット（ＳＤＰ）にクロック信号を伝送するときに用いられる配線である。
【００３９】
一方、メイン表示ユニット（ＭＤＰ）がメイン画像を表示するとき、サブ表示ユニット（ＳＤＰ）は、サブ画像を表示しなくてもよく、サブ表示ユニット（ＳＤＰ）がサブ画像を表示するとき、メイン表示ユニット（ＭＤＰ）は、メイン画像を表示しなくてもよい。即ち、デュアル表示携帯電話は、デュアル表示携帯電話を開いたときにメイン画像を表示し、閉じたときにサブ画像を表示してもよい。しかし、これとは異なり、メイン画像とサブ画像とを同時に表示してもよい。
【００４０】
図２は、図１のデュアル表示携帯電話におけるデュアル表示装置を詳細に示したブロック図である。図２を参照すると、メイン表示ユニット（ＭＤＰ）は、メインコントローラ１００及びメイン画像表示部２００を含み、サブ表示ユニット（ＳＤＰ）は、サブコントローラ３００及びサブ画像表示部４００を含む。
【００４１】
メインコントローラ１００は、図１のメイン本体（ＭＰ）と超高速シリアルインタフェース方式でメイン信号１０を送受信する。メインコントローラ１００は、メイン信号１０に応答してメイン画像出力信号３０を出力する。メイン画像表示部２００は、メイン画像出力信号３０に応答してメイン画像を表示する。
【００４２】
サブコントローラ３００は、メインコントローラ１００とシリアル周辺インタフェース方式でサブ信号２０を送受信する。サブコントローラ３００は、サブ信号２０に応答してサブ画像出力信号４０を出力する。サブ画像表示部４００は、サブ画像出力信号４０に応答してサブ画像を表示する。
【００４３】
図３は、図２のメインコントローラ１００を詳細に示したブロック図である。図３を参照すると、本実施形態によるメインコントローラ１００は、メインインタフェース部１１０、メイン画像駆動部１２０、メイン画像メモリ１３０、サブ信号制御部１４０、及び接続インタフェース部１５０を含んでもよい。
【００４４】
メインインタフェース部１１０は、図１のメイン本体（ＭＰ）と超高速シリアルインタフェース方式でメイン信号１０を送受信する。メインインタフェース部１１０は、メイン信号１０に応答して、メイン画像制御信号１１２、メイン画像データ１１４、サブ画像信号１１６、及びサブ制御信号１１８をそれぞれ出力してもよい。
【００４５】
例えば、メインインタフェース部１１０は、デュアル表示携帯電話を開いたときにメイン画像制御信号１１２及びメイン画像データ１１４を出力してもよく、デュアル表示携帯電話を閉じたときにサブ画像信号１１６及びサブ制御信号１１８を出力してもよい。しかしながら場合によっては、メインインタフェース部１１０は、デュアル表示携帯電話を開いたとき又は閉じたときに、メイン画像制御信号１１２、メイン画像データ１１４、サブ画像信号１１６、及びサブ制御信号１１８をいずれも出力してもよい。
【００４６】
メイン画像駆動部１２０は、メインインタフェース部１１０からメイン画像制御信号１１２の印加を受ける。メイン画像メモリ１３０は、メインインタフェース部１１０からメイン画像データ１１４の印加を受けて保存する。ここで、メイン画像メモリ１３０は、メイン画像データ１１４をフレーム単位に保存しうるフレームバッファであってもよい。
【００４７】
メイン画像駆動部１２０は、メイン画像メモリ１３０に保存されたメイン画像データ１１４を読み出してもよい。それによって、メイン画像駆動部１２０は、メイン画像制御信号１１２及びメイン画像データ１１４に応答して、メイン画像出力信号３０を出力してもよい。例えば、メイン画像駆動部１２０は、メイン画像コントローラ、メイン画像駆動ドライバ、直流−直流（ＤＣ−ＤＣ）コンバータ、及びオシレータなどを含んでもよい。
【００４８】
メイン画像メモリ１３０は、メインインタフェース部１１０からサブ画像信号１１６の印加を受けて保存してもよい。たとえば、メイン画像メモリ１３０は、メイン画像データ１１４を保存するメイン画像保存領域１３２及びサブ画像信号１１６を保存するサブ画像保存領域１３４を含んでもよい。ここで、サブ画像保存領域１３４は、メイン画像メモリ１３０の全体保存容量のうち、サブ画像信号の保存のために割当てられた領域を示す。
【００４９】
サブ信号制御部１４０は、メインインタフェース部１１０からサブ制御信号１１８の印加を受ける。サブ信号制御部１４０は、サブ制御信号１１８に応答してメインインタフェース部１１０から接続インタフェース部１５０へのサブ画像信号１１６の出力を制御する。
【００５０】
例えば、サブ信号制御部１４０は、サブ制御信号１１８に応答して、サブ画像信号１１６の出力を制御するためのサブ出力信号１４２をメイン画像メモリ１３０に出力する。メイン画像メモリ１３０は、サブ出力信号１４２に応答して、サブ画像保存領域１３４に保存されたサブ画像信号１１６を接続インタフェース部１５０に出力する。ここで、サブ画像信号１１６のうち、サブ画像保存領域１３４に先に保存されたデータが後で保存されたデータより先に出力される。
【００５１】
接続インタフェース部１５０は、メイン画像メモリ１３０からサブ画像信号１１６の印加を受け、サブ画像信号１１６に応答してサブ信号２０を図２のサブコントローラ３００に伝送する。
【００５２】
図４は、図２のサブコントローラ３００を詳細に示したブロック図である。図４を参照すると、サブコントローラ３００は、サブインタフェース部３１０、サブ画像駆動部３２０、及びサブ画像メモリ３３０を含んでもよい。
【００５３】
サブインタフェース部３１０は、図３の接続インタフェース部１５０とシリアル周辺インタフェース方式でサブ信号２０を送受信する。サブインタフェース部３１０は、サブ信号２０に応答して、サブ画像制御信号３１２及びサブ画像データ３１４を出力してもよい。
【００５４】
サブ画像駆動部３２０は、サブインタフェース部３１０からサブ画像制御信号３１２の印加を受ける。サブ画像メモリ３３０は、サブインタフェース部３１０からサブ画像データ３１４の印加を受けて保存する。ここで、サブ画像メモリ３３０は、サブ画像データ３１４をフレーム単位に保存しうるフレームバッファであってもよい。
【００５５】
サブ画像駆動部３２０は、サブ画像メモリ３３０に保存されたサブ画像データ３１４を読み出してもよい。それによって、サブ画像駆動部３２０は、サブ画像制御信号３１２及びサブ画像データ３１４に応答して、サブ画像出力信号４０を出力してもよい。例えば、サブ画像駆動部３２０は、サブ画像コントローラ、サブ画像駆動ドライバ、直流−直流（ＤＣ−ＤＣ）コンバータ及びオシレータなどを含んでもよい。
【００５６】
図５は、サブ信号メモリ１６０を更に含む別の実施形態のメインコントローラ１００を詳細に示したブロック図である。図５を参照すると、図５のメインコントローラ１００は、図３のメインコントローラ１００とほぼ同じであるが、図３のメイン画像メモリ１３０とは別途にサブ信号メモリ１６０を更に含む。
【００５７】
サブ信号メモリ１６０は、メインインタフェース部１１０からサブ画像信号１１６の印加を受けて保存する。ここで、サブ信号メモリ１６０は、先に保存されたデータが先に読み出されるＦＩＦＯ（Ｆｉｒｓｔ‐Ｉｎ，Ｆｉｒｓｔ‐Ｏｕｔ）メモリであってもよい。
【００５８】
サブ信号制御部１４０は、メインインタフェース部１１０からサブ制御信号１１８の印加を受ける。サブ信号制御部１４０は、サブ制御信号１１８に応答して、サブ画像信号１１６の出力を制御するためのサブ出力信号１４２をサブ信号メモリ１６０に出力する。
【００５９】
サブ信号メモリ１６０は、サブ出力信号１４２に応答して、内部に保存されたサブ画像信号１１６を接続インタフェース部１５０に出力する。
【００６０】
このように、メインコントローラ１００が図３のメイン画像メモリ１３０と別途でサブ信号メモリ１６０を更に含む場合、比較的高画像度の画像に対する情報を有しているサブ画像信号１１６を保存しうる保存空間が確保されてもよい。即ち、メインコントローラ１００がサブ信号メモリ１６０を更に含む場合、図２のサブ表示ユニット（ＳＤＰ）は、比較的高い解像度を有するサブ画像を実現することができる。
【００６１】
また、メインコントローラ１００がサブ信号メモリ１６０を更に含む場合、図２のメイン表示ユニット（ＭＤＰ）及びサブ表示ユニット（ＳＤＰ）は、同時にメイン画像及びサブ画像を表示してもよい。
【００６２】
図６及び図７は、図３のサブ画像信号１１６を説明するための図である。図６を参照すると、図３のサブ画像信号１１６は、図２のサブ表示ユニット（ＳＤＰ）を制御するための命令語コード（Ｃｏｍｍａｎｄ  Ｃｏｄｅ）、及びサブ画像に対する情報を含むサブデータを含んでもよい。
【００６３】
本実施形態で、サブ画像信号１１６は、サブデータの終了を知らせる終結コード（Ｔｅｒｍｉｎａｔｏｒ  Ｃｏｄｅ）を更に含んでもよい。ここで、終結コードは、一つの画像グループに対するデータが終わったことを知らせるコードである。
【００６４】
例えば、メイン表示ユニット（ＭＤＰ）は、終結コードを使用して一つの画像グループ単位のデータをサブ表示ユニット（ＳＤＰ）に伝送してもよい。
【００６５】
図７を参照すると、図３のメインコントローラ１００は、サブデータをカウントして、サブデータの大きさをメインコントローラ１００内のメモリに保存してもよい。
【００６６】
例えば、図３のメインインタフェース部１１０またはサブ信号制御部１４０は、サブデータの列の数をカウントして、サブデータの列の数を図３に示されるメイン画像メモリ１３０のサブ画像保存領域１３４内に保存するか、或いは、図５に示されるサブ信号メモリ１６０内に保存してもよい。
【００６７】
サブデータの列の数は、一つの画像グループの大きさを決定する変数であって、メイン表示ユニット（ＭＤＰ）は、サブデータの列の数を通じて画像グループ単位のデータをサブ表示ユニット（ＳＤＰ）に伝送してもよい。
【００６８】
図８は、図３または図５のサブ信号制御部を詳細に示したブロック図である。図３、図５、及び図８を参照すると、サブ信号制御部１４０は、タイムアウト機能を更に行ってもよい。
【００６９】
例えば、サブ信号制御部１４０は、メインインタフェース部１１０が図１のメイン本体（ＭＰ）からタイムアウト期間中にメイン信号１０が受信しないときに、メインインタフェース部１１０から伝送されたサブ画像信号１１６が接続インタフェース部１５０へ出力されるよう制御してもよい。
【００７０】
即ち、メインインタフェース部１１０がメイン本体（ＭＰ）からタイムアウト期間中に、メイン信号１０を受信しないときに、サブ信号制御部１４０は、メイン画像メモリ１３０のサブ画像保存領域１３４またはサブ信号メモリ１６０内に保存されていたサブ画像信号１１６を接続インタフェース部１５０に出力させるように制御する。それによって、図２のデュアル表示装置（ＤＰ）は、自動的にサブ画像を表示することができる。
【００７１】
例えば、サブ信号制御部１４０は、サブ信号制御回路１４４及びタイムアウトメモリ１４６を含んでもよい。サブ制御回路１４４は、メインインタフェース部１１０から印加されたサブ制御信号１１８に応答して、サブ出力信号１４２をメイン画像メモリ１３０またはサブ信号メモリ１６０に出力する。
【００７２】
タイムアウトメモリ１４６は、タイムアウト時間の情報を保存する。タイムアウトメモリ１４６は、サブ信号制御回路１４４にタイムアウト時間の情報を提供する。サブ信号制御回路１４４は、タイムアウト時間の情報を用いて、タイムアウト機能を果たしてもよい。
【００７３】
タイムアウトメモリ１４６内に保存されたタイムアウト時間の情報は、サブ制御信号１１８内のタイムアウト変更信号によって変更されてもよい。一実施形態において、タイムアウトメモリ１４６は、ＥＰＲＯＭ（ｅｒａｓａｂｌｅ  ｐｒｏｇｒａｍｍａｂｌｅ  ｒｅａｄ−ｏｎｌｙ  ｍｅｍｏｒｙ）であってもよい。
【００７４】
本発明によると、メイン本体は、デュアル表示装置のメイン表示ユニットと超高速シリアルインタフェース（ＨＳＳＩ）方式で高速でメイン信号を送受信し、メイン表示ユニットは、デュアル表示装置のサブ表示ユニットとシリアル周辺インタフェース方式（ＳＰＩ）で相対的に低速でサブ信号を送受信する。即ち、メイン表示ユニットは、メイン本体とサブ表示ユニットとを連結するハブ機能を果たす。
【００７５】
よって、本発明によるデュアル表示携帯電話は、メイン本体と表示ユニットとの間で高速で信号を送受信するとともに、メイン本体とサブ表示ユニットとの間の通信ラインの除去によって、デュアル表示携帯電話の製造コストをより節減することができる。
【００７６】
以上、本発明の実施形態によって詳細に説明したが、本発明はこれに限定されず、本発明が属する技術分野において通常の知識を有するものであれば本発明の思想と精神を逸脱することなく、本発明を修正または変更できる。
【図面の簡単な説明】
【００７７】
【図１】本発明の一実施形態によるデュアル表示携帯電話のブロック図である。
【図２】図１のデュアル表示携帯電話におけるデュアル表示装置の詳細なブロック図である。
【図３】図２のメインコントローラの詳細なブロック図である。
【図４】図２のサブコントローラの詳細なブロック図である。
【図５】サブ信号メモリを更に含むメインコントローラの詳細なブロック図である。
【図６】サブ画像信号を説明するための図である。
【図７】サブ画像信号を説明するための図である。
【図８】図３または図５に示されたサブ信号制御部の詳細なブロック図である。
【符号の説明】
【００７８】
１０    メイン信号
２０    サブ信号
３０    メイン画像出力信号
４０    サブ画像出力信号
１００    メインコントローラ
１１０    メインインタフェース部
１１６    サブ画像信号
１１８    サブ制御信号
１２０    メイン画像駆動部
１３０    メイン画像メモリ
１３２    メイン画像保存領域
１３４    サブ画像保存領域
１４０    サブ信号制御部
１４２    サブ出力信号
１４４    サブ信号制御回路
１４６    タイムアウトメモリ
１５０    接続インタフェース部
１６０    サブ信号メモリ
２００    メイン画像表示部
３００    サブコントローラ
４００    サブ画像表示部
【図１】
0005559475.tif 000002
【図２】
0005559475.tif 000003
【図３】
0005559475.tif 000004
【図４】
0005559475.tif 000005
【図５】
0005559475.tif 000006
【図６】
0005559475.tif 000007
【図７】
0005559475.tif 000008
【図８】
0005559475.tif 000009